(57)【要約】  本発明は、量子ネットワークアドレッシング方法及び量子ネットワークルーターに関する。  ネットワークに少なくとも三つのノードを含む量子ネットワークアドレッシング方法であって、各ノードに一つのアドレス番号を与え、各ノードから他のそれぞれのノードに波長の異なる光子信号を送信し、該光子信号は信号源波長とノードアドレスをもって共同にアドレッシング標記とし、各ノードは受信した光子信号中の前記アドレス標記によって該信号の出所を確定する。量子ネットワークルーターは、外部インターフェースと光子信号分配器とを備えており、該光子信号分配器はＮ個の光学素子を含み、ここで、Ｎはネットワークのノードの数であり、各光学素子の一端は混合波長インターフェースであり、他の一端は単一波長インターフェースであり、該混合波長インターフェースはルーターの外部インターフェースとして機能し、該単一波長インターフェースは少なくともＮ−１個あり、各単一波長インターフェースは種々の波長の光子信号を伝送し、Ｎ個の光学素子の同一波長の単一波長インターフェース間は、一対一で直接光学連結される。本発明によると、量子秘密鍵分配、量子ネットワーク伝送などを含む本当の意味での量子通信を実現することができる。即ち、広義的な量子通信を実現して、量子コンピューターアドレッシングバス又は量子コンピューターネットワークを構成することができる。【選択図】  図１
2007525868.tif 000002
【特許請求の範囲】
【請求項１】
ネットワークに少なくとも三つのノードを含む量子ネットワークアドレッシング方法であって、
各ノードに一つのアドレス番号を与え、
各ノードから他のそれぞれのノードに波長の異なる光子信号を送信し、
該光子信号は信号源波長とノードアドレスをもって共同にアドレッシング標記とし、
前記アドレッシング標記は二つの部分から構成されるが、その中の一つの部分は該ノードが送信する光子信号の波長から数値を取得して決定され、もう一つの部分は該ノードのアドレス番号から決定され、各ノードは受信した光子信号中の前記アドレス標記によって該信号の出所を確定することを特徴とする量子ネットワークアドレッシング方法。
【請求項２】
ネットワークのノードの数が奇数である場合、前記信号源波長の数はＮ個であり、ネットワークのノードの数が偶数である場合、前記信号源波長の数はＮ−１個であり、ここで、Ｎはネットワークのノードの数であることを特徴とする請求項１記載の量子ネットワークアドレッシング方法。
【請求項３】
前記光子信号は、光量子状態信号又は古典的光信号であることを特徴とする請求項１記載の量子ネットワークアドレッシング方法。
【請求項４】
請求項１に使用される、外部インターフェースと光子信号分配器とを備える量子ネットワークルーターであって、
該光子信号分配器はＮ個の光学素子を含み、ここで、Ｎはネットワークのノードの数であり、
各光学素子の一端は混合波長インターフェースであり、他の一端は単一波長インターフェースであり、
該混合波長インターフェースはルーターの外部インターフェースとして機能し、該単一波長インターフェースは少なくともＮ−１個あり、各単一波長インターフェースは種々の波長の光子信号を伝送し、Ｎ個の光学素子の同一波長の単一波長インターフェース間は、一対一で直接光学連結されることを特徴とする量子ネットワークルーター。
【請求項５】
Ｎが偶数である場合、前記光学素子の単一波長インターフェースは同一であり、量子ネットワークルーター全体で使用される波長の総数がＮ−１であり、
Ｎが奇数である場合、任意の二つの光学素子の単一波長インターフェースは一つが異なり、量子ネットワークルーター全体で使用される波長の総数がＮであることを特徴とする請求項４記載の量子ネットワークルーター。
【請求項６】
前記光学素子は、集積又は個別の、色分散及び補助受動光学素子から組成されることを特徴とする請求項４記載の量子ネットワークルーター。
【請求項７】
前記光学素子は、可逆波長分割マルチプレクサー（reversible wavelength division multiplexer）であることを特徴とする請求項４記載の量子ネットワークルーター。 
【請求項８】
前記光学連結は、光ファイバー、導波路、自由空間、又は他の光学媒介を採用してなされることを特徴とする請求項４記載の量子ネットワークルーター。
【請求項９】
前記光学連結は、光学連結性能を改善するように、光路にコリメーター、カプラー、反射鏡などの光受動素子を加えることを特徴とする請求項４記載の量子ネットワークルーター。
【請求項１０】
前記全体の量子ネットワークルーターの、色分散、コリメーター、ガイド及びカプラーを含む部品の内、全部又は部分的な部品が導波基板に集積されることを特徴とする請求項４記載の量子ネットワークルーター。
【発明の詳細な説明】
【技術分野】
【０００１】
本発明は、光伝送技術を利用してネットワーク通信を行うアドレッシング方法及び装置に関し、特に、量子情報であって、量子通信と量子コンピューティングネットワークシステムのアドレッシング方法及び装置に関する。
【背景技術】
【０００２】
量子情報技術は、１９９０年代に研究が始められた新たな科学領域なので、多くの問題がいまだ探索中の段階にあり、大規模に実用化されておらず、本発明と関連する公開使用技術は見当たらない。古典的なネットワーク情報技術の経験によると、量子ネットワーク情報は必ずや量子通信の核心技術になるものと考える。古典的な通信技術と対比し、また量子通信の特徴を考えると、量子ネットワークシステムは以下のような基本性能要求を満たさなければならない。
【０００３】
１．多ユーザー性
二以上のユーザーがシステム上で同時に情報交換及び資源共有を行い得ること。
【０００４】
２．可拡張性
ユーザー数を拡張でき、ユーザーの総数が原則的に制限されないこと。
【０００５】
３．ユーザーの独立性
この独立性は以下の両面を含むべきである。
【０００６】
第一：いずれか一のユーザーの存在及び運用は、該ユーザーと情報交換需要があるユーザーのみに影響を与え、全体ネットワークの運用には影響を与えないこと。
【０００７】
第二：いずれか一のユーザーの運用は、自分と情報交換を行っている以外のユーザーの運用の影響、たとえばクロストークを受けないこと。
【０００８】
４．ネットワーク中の各ユーザーはそれぞれただ一つのアドレスと内部番号（即ち、古典的ネットワーク中のＩＰアドレス）を持ち、これに基づいて、ネットワーク中のいずれかのユーザーが容易に該ユーザーを区別し、該ユーザーに接続し、もって通信を実現し、同時に、接続されたユーザーはまた自分と通信する対象を唯一的に確定することが可能であるべきこと。
【０００９】
また、量子ネットワークに対する特殊要求は以下の通りである。
【００１０】
５．ネットワークシステムは、量子干渉性（quantum coherence）を（受信と計測を除いて）保持すべきである、即ち、可干渉性の崩れ（decoherence）をできるかぎり弱め、また、受信と計測以外の光電又は電光変換をなくすべきであること。
【００１１】
６．ネットワークシステム内部には量子信号の増幅が存在してはいけないが、これは量子複製不可能定理（quantum no-cloning theorem）の基本要求である。
【００１２】
前記条件を対照すると、これまで該条件に完全に符合する量子ネットワーク構造原理と技術が出現していない。進歩が最大のものは、量子暗号のネットワーク分配研究であり、従来の主要な技術を以下のようにまとめることができる。
【００１３】
一、ツリー型ネットワーク構造：この構造には二つの動作モードがある。
【００１４】
一つのモードは、光ファイバースプリッターを使用してランダムに変調単一光子を多くの受信者に供給し、量子キー分配プロトコール（quantum key distribution protocol）によって多くの受信者と秘密鍵を確立する。このモードは、（１）一つのコントロールセンターを必要とし、ネットワーク上のすべての他のユーザーの情報は必ずコントロールセンターと分かち合わなければならないが、こんなことは秘密通信である時は許せないものである；（２）通信効率とネットワーク上の端末の数とは反比例関係にあり、極限通信距離も同期して降下し、可拡張性も制限される。
【００１５】
もう一つのモードは、波長アドレッシング方式を採用、即ち、コントロールセンターは受信者のＩＰとして波長を採用し、センターといずれか一のユーザーとの間の秘密鍵分配を実現する。このモードは、直接シャント（ｓｈｕｎｔ）に起因する効率低下の問題を解決するが、情報を必ずコントロールセンターと分かち合わなければならないという安全問題は依然として解決されていない。ツリー型ネットワーク構造のもう一つの重要な問題は、センター以外のユーザーたちの間では直接通信することができず、この方案は厳密にはネットワーク構造ではない。
【００１６】
二、リング型ネットワーク構造：このネットワーク構造は、すべてのユーザーを、一つ又は多数の互いに連結されたクローズドリングに繋げて、該リング中のいずれか二の端末ユーザーはあるプロトコールを運用し、コントロールセンターの協力を通じて、秘密通信を実現することができ、また、ネットワークコントロールセンターと秘密情報を分かち合う必要はないが、通信過程はやはりセンターの協力を必要とする。このような構造は：（１）すべてのユーザー端末は必ず、一つ又は互いに連結された多数のリング上に設置されなければならないので、端末を設置することができる場所が限定されるし、（２）いずれか二のユーザー間の平均通信距離は点間（point to point）極限通信距離の１／２より小さく、ユーザーが多くなればなるほど、隣り合った端末間の距離も小さくなる。このようなネットワーク構造にはすでに三つの異なるモードがある。第一のモードは、多数のユーザーを直列に連結するものであり、その改善方式では、いわゆる空間光スイッチを用いて多数の小さいリングを直列連結し、各ユーザーは空間光スイッチを介して大きいリングに接続する。原理的に範囲可変な量子ネットワークを実現できるが、このようなネットワークでは同時に一対のユーザーしかワークできない。第二のモードは、波長アドレッシング原理を採用するものであり、原理的にセンターの存在なしで多数のユーザー間で直接通信ができ、同時にワークすることができるが、伝送距離の制限はやはり存在し、使用される周波数帯は以下の式を満たさなければならない。
【００１７】
Ｎ＝ｎ×（ｎ−１）/2、
ここで、Ｎは要求される周波数帯総数を、ｎはユーザー総数を示す。
【００１８】
ユーザー総数と要求される周波数帯総数とは平方関係にあり、ネットワークのユーザー総数には制限がある。
【００１９】
三、多粒子もつれネットワーク（multi-particles entanglement network）：このネットワークのモードは多数のユーザー間で量子状態の伝送を実現できるが、量子秘密鍵としてネットワークに分配することができるばかりでなく、原理的に、広義量子情報ネットワークのワークモードとすることもできる。しかし、もつれ（絡み）粒子数と産生効率には負の指数関係があり、この方案におけるユーザー数ともつれ粒子数とは直接に関連しているので、ネットワーク上のユーザー数は極めて限定され、可拡張性もよくない。
【００２０】
上述の通り、現在、量子ネットワークの基本要求を満足することができるネットワーク構造と運用モードはない。
【発明の開示】
【発明が解決しようとする課題】
【００２１】
本発明は、一つの量子ネットワークアドレッシング方法、及びこれに基づいて構成された量子ネットワークルーターを提供することを目的とする。このルーターを用いて、権利が均等な多数ユーザー量子ネットワークシステムを組成することもできる。
【課題を解決するための手段】
【００２２】
本発明は、ネットワークに少なくとも三つのノードを含む量子ネットワークアドレッシング方法であって、各ノードに一つのアドレス番号を与え、各ノードから他のそれぞれのノードに波長の異なる光子信号を送信し、該光子信号は信号源波長とノードアドレスとをもって共同にアドレッシング標記とし、前記アドレッシング標記は二つの部分から構成されるが、その中の一つの部分は該ノードが送信する光子信号の波長から数値を取得して決定され、もう一つの部分は該ノードのアドレス番号から決定され、各ノードは受信した光子信号中の前記アドレス標記によって該信号の出所を確定することを特徴とする量子ネットワークアドレッシング方法である。
【００２３】
ネットワークのノードの数が奇数である場合、前記信号源波長の数はＮ個であり、ネットワークのノードの数が偶数である場合、前記信号源波長の数はＮ−１個である（ここで、Ｎはネットワークのノードの数である）。
【００２４】
前記光子信号は、光量子状態信号又は古典的光信号である。
【００２５】
このアドレッシング方式では、ネットワーク中の異なるノードからの、異なる波長を備える光子信号を、特定の他のノードに伝送することができ、また、このような伝送はノードネットワーク中で唯一的であり、伝送方向も可逆的である。即ち、いずれのノードも光子信号を受信及び送信することができ、送信ノードは特定波長の光子信号をどのノードに送信するかを予め知っており、受信ノードは波長計測によって、受信した光子信号がどのノードから送信されたのかを確定することができる。前記のノードネットワークは任意のＮ個のノードを持つことができる。
【００２６】
前記の光子信号は、例えば大量の光子を含有する強い光パルスのような古典的信号であることもできるし、例えば単一光子又はもつれ光子のような量子信号であることもできる。前記光子の波長は、一つの波長の間隔をさす。信号が古典的信号である場合、通信過程は古典的通信であり、信号が光量子状態である場合、前記通信は量子通信である。
【００２７】
本発明は、前記アドレッシング方法を実現する量子ネットワークルーターを提供するが、このルーターは、外部インターフェースと光子信号分配器とを備える量子ネットワークルーターであって、該光子信号分配器はＮ個の光学素子を含み（ここで、Ｎはネットワークのノードの数である）、各光学素子の一端は混合波長インターフェースであり、他の一端は単一波長インターフェースであり、該混合波長インターフェースはルーターの外部インターフェースとして機能し、該単一波長インターフェースは少なくともＮ−１個あり、各単一波長インターフェースは種々の波長の光子信号を伝送し、Ｎ個の光学素子の同一波長の単一波長インターフェース間は、一対一で直接光学連結される。
【００２８】
Ｎが偶数である場合、前記光学素子の単一波長インターフェースは同一であり、量子ネットワークルーター全体で使用される波長の総数がＮ−１であり、Ｎが奇数である場合、任意の二つの光学素子の単一波長インターフェースは一つが異なり、量子ネットワークルーター全体で使用される波長の総数がＮである。例えば、四ノードのルーターの場合には、前記光学素子は同一であり、単一波長インターフェースは全部で三つ、即ちそれぞれ波長がλ１、λ２、λ３であり、ルーターで使用される波長の総数は三つである。三ノードのルーターの場合には、前記光学素子の単一波長インターフェースは全部で二つであるが、波長は均しく一つ異なっている、即ち、第一の光学素子はλ１、λ２、第二の光学素子はλ２、λ３、第三の光学素子はλ３、λ１である。ルーターに使用される波長の総数はやはり三つである。
【００２９】
前記光学素子は、集積又は個別の、色分散及び補助受動光学素子から組成されることができる。
【００３０】
前記光学素子は、可逆波長分割マルチプレクサー（reversible wavelength division multiplexer）であることができる。
【００３１】
前記光学連結は、光ファイバー、導波路、自由空間、又は他の光学媒質を採用してなされることができる。
【００３２】
前記光学連結は、光学連結性能を改善するように、光路にコリメーター、カプラー、反射鏡などの光受動素子を加えることができる。
【００３３】
前記全体の量子ネットワークルーターの、色分散、コリメーター、ガイド及びカプラーを含む部品の内、全部又は部分的な部品が導波基板に集積されることができる。
【００３４】
本発明の量子ネットワークルーターの上記のような内部連結はグラフ理論中の境界着色理論（edge coloring theorem）を満たし、任意の多ノードのネットワークルーターはこの数学原理によって実現することができる。その対応する関係は以下の通りである。即ち、境界着色理論における一つの頂点は量子ネットワークルーターの一つのノードと対応し、各境界着色は一つの波長、即ち上記光学素子の一つの単一波長インターフェースと対応する。事実、奇数のノードＮの量子ネットワークルーターを、偶数のノードＮ＋１の量子ネットワークルーターで一つのノードが使用されないか又は連結されないかの特例であると見做すことができる。
【００３５】
前記光子信号は一つのノードから他のノードに伝送することができ、逆方向伝送も可能である。
【００３６】
前記可逆波長分割マルチプレクサーは、色分散素子に前後のコリメーターと入出力カプラーを加えて組成される。尚、色分散素子は、フィルター、ラスター、又は色分散プリズムであることができる。
【００３７】
本発明の量子ネットワークルーターは、以下のようなことを実現することができる。すべてのノードから同時に伝送されてくる、情報が載っている、異なる波長の光子信号を受信し、分波又は合波方式によって、それを他の各ノードが同じノードに伝送してくる異なる波長の光子信号を合波して、指定されたノードに伝送すること。これらの信号は、更に、当該ノードに連結された幹線光路を介して、特定のネットワークユーザーに伝送することができる。このルーターの作動方式は、それが伝送する量子状態及びその干渉性を破壊せず、信号間での相互干渉も産生しないし、またネットワーク全体中においてルーターによるガイドは唯一的であり、ガイドの重なりと信号遺失現象が出現せず、ユーザーは簡単な計測を通じて信号の出所を正確に知ることができる。上記のすべては、ネットワークの基本要求を満たす。
【００３８】
これらのすべての機能は、古典的ネットワーク通信におけるパス選択機能又はコンピューターネットワークにおけるアドレッシング機能と同等である。この方法で構成された量子ネットワークルーターは、原則的に任意のＮ個のノードがあることができ、Ｎ路の幹線光路と連結してＮ路の量子ネットワークシステムを構成する。
【００３９】
本発明で提示された量子ネットワークアドレッシング方法と量子ネットワークルーターは、量子状態の発送ノードと波長とを共同にアドレッシング標記とし、またこのアドレッシング方法を原理として構成された量子ネットワーク装置を提供し、量子ネットワークルーターの基本要求を満たすことができる。
【発明の効果】
【００４０】
本発明によって構成された量子通信ネットワークは以下の利点を有する。
【００４１】
１．ルーターを採用して量子ネットワークの情報交換とガイド（ルーテイング）のセンターとすることにより、そのネットワーク構造とユーザーは相対的に独立し、量子ネットワークを古典的ネットワークと完全に類比可能とし、システム配置と操作とを個別に考慮することができ、規範化処理を行うことができる。
【００４２】
２．ルーターのノード数を増やすことができる：本発明でルーターが使用するマルチプレキシング波長の総数はノードの総数と等しいか又は少なく、周波数帯の利用効率が高い。周波数帯は、原則として、任意に分割又は再利用することができ、ルーターノードの総数も任意に増やすことができる。現在の技術条件によると、ノードの総数は１５０以上になり得るが、これは他の方案の３倍以上である。
【００４３】
３．ノード間の通信は異なる波長で行い、チャンネルはお互いに隔離されており、隔離度は波長分割マルチプレクサー（wavelength division multiplexer）の隔離度にだけ依存しており、クロストークは殆どなく、各チャンネルの間での情報資源の争奪はなく、通信効率もノード総数の影響を受けない。
【００４４】
４．ルーターのインサージョンロスが低く、本発明でのルーターが各チャンネルに対するインサージョンロスは２ｄＢ以下である。
【００４５】
５．本発明によれば、本当の意味でのネットワークの量子通信を実現することができ、それは、量子秘密鍵分配、量子状態でのネットワーク伝送（広義の量子通信）、量子コンピューターアドレッシングバス又は量子コンピューターネットワークの構成などを含む。
【００４６】
６．量子ネットワークは、古典的ネットワークを基礎とするとともに付加制限を行って形成されたもの故、この量子ネットワークルーターは直接に古典的通信おける全体光波長ルーターとなすことができ、古典的ネットワーク通信における静的ネットワークルート機能を実現することができる。
【発明を実施するための最良の形態】
【００４７】
一、量子ネットワークルーターの構造
１、量子ネットワークルーターは、本発明の原理に基づいて、商用の波長分割マルチプレクサーにより構成され得る。一つの典型的な４ノードの量子ネットワークルーターの内部構造は図１に示す通りであり、破線の内部はルーターの内部構造である。図１中の１−１〜１〜４は同一の商用３チャンネル波長分割マルチプレクサーであり、波長はそれぞれλ１、λ２、λ３である。その中で、波長位置（実は一定な範囲の周波数帯である）と間隔は、幹線光路のロスに対する要求と充分な隔離度を満足すればよい。２−１〜２〜６は、同一の波長チャンネルの単一波長インターフェース間の光学連結であるが、これらは単一モード光ファイバー素子、分離素子又は導波路から組成された光路であることができる。３−１〜３〜４は、量子ネットワークルーターのノードの混合波長インターフェースであり、ノードを幹線光路を介してユーザーに連結できる。
【００４８】
図２は、３ノード量子ネットワークルーターの内部構造を示した図であるが、その中で、４−１〜４〜３は波長分割マルチプレクサーであり、４ノードの波長分割マルチプレクサーと異なる点は、これら三つの波長分割マルチプレクサー中のマルチプレキシング波長間に一つの相違がある、具体的には、４−１はλ１、λ２、４−２はλ２、λ３、４−３はλ３、λ１であるので、ルーター全体の使用波長の総数はやはり三つである。図中、５−１〜５〜３は、同一波長を有する単一波長インターフェース間の光学連結であり、これらは単一モードファイバー素子、分離素子又は導波路から組成した光路であることができる。６−１〜６−３は、量子ネットワークルーターのノードの混合波長インターフェースであり、幹線光路を介してユーザーに連結することができる。実は、この３ノードルーターは、図１に示した４ノードルーターにおいて、一つのノードとそれに連結したすべての光学連結を取り消した後の特殊状況であるとみることができる。
【００４９】
図１において、もし波長分割マルチプレクサー１−２及びそれと関連した光学連結２−２、２−５、２−６を全部取り去る（又は捨てる）と、図１中の４ノードルーターは図２中の３ノードルーターに変わる。これに基づいてさらに考え方を拡張すると、任意の偶数ノードＮの量子ネットワークルーターは、その中の一つのノードを取り消す（又は捨てる）ことにより、奇数ノード  Ｎ−１のルーターに直接変わるということである。
【００５０】
任意のＮノードルーターは、上述の原則に従って波長分割マルチプレクサーを採用して構成されることができ、その中で、奇数ノードは図２のような方式で拡張することができ、偶数ノードは図１のような方式で拡張することができる。
【００５１】
２、個別の光学素子で独立に組成された４ノード量子ネットワークルーター
量子ネットワークルーターは個別の受動光学素子を採用して直接に組成されることができるので、初めに波長分割マルチプレクサーを採用し、続いて量子ネットワークルーターを構成する必要がない。この種の組成において、Ｎノードルーターは、Ｎ個の色分散素子と補助的な光線ガイド手段とから組成する必要がある。例えば、分光プリズム、カプラー（coupler）、コリメーター(collimator)、反射鏡などの受動光学素子又はその他の光路屈折カプラー素子から組成される。ここで、４ノード個別の光学素子から組成された量子ネットワークルーターの内部の構造図を提示する。
【００５２】
図３において、７−１〜７−４は色分散素子であり、その作用は異なる波長の光の分離であり、分波と逆方向合波の機能を実現するが、これらは、プリズム、フィルター、ラスターなどの色分散素子であることができる。８−１〜８−４及び９−１〜９−４は、前後のコリメーティングシステムであり、光線の視準と合焦（平行化と収束）の作用をなす。１０−１〜１０−４は光線ガイド素子であり、特定の波長の光線を特定の色分散素子にガイドする作用をなす。１１−１〜１１−４はルーターノードの入出力カプラーであって、幹線光路を介してネットワークユーザーと直接に連結する。
【００５３】
３、集積光学量子ネットワークルーター
量子ネットワークルーターは、集積光学素子にて構成することもできる。その中で、Ｎノードルーターは、Ｎ個の集積色分散素子と光ガイド伝送導波路から組成される。
【００５４】
図４においても、４ノード量子ネットワークルーターを例とする。その中で、１２−１〜１２−４は集積分布式のラスターであり、至近ノードから入射された多波長信号を単色信号に分解すると同時に、逆方向から伝送された単色信号を多色信号に結合して至近ノードに伝送する。１３−１〜１３‐６は、単色光のガイド伝送導波路であって、色分散を行った後の単色光線を次の色分散ラスターに伝送する。１４−１〜１４−４は、ルーターの混合波長インターフェースであり、これと幹線光路を介してユーザーに直接連結する。
【００５５】
一つの量子ネットワークルーターが確定したあと、各ノードの全ては唯一的に確定されたＩＰ表を有する。このノードと連結したユーザーは、このＩＰ表によって、ネットワーク中の他の唯一的なユーザーノードを尋ねて、それと量子通信過程を完成する。図５と図６はそれぞれ、３ノードと４ノードの量子ネットワークルーターの、各ノードの間のＩＰアドレス表を示している。四つ以上の多数ノードを備える量子ネットワークルーターにも、このようなＩＰアドレス表がある。その中で、奇数ノードのＩＰ表は図５に示す表に似ているし、偶数ノードのＩＰ表は図６に示す表に似ている。
【図面の簡単な説明】
【００５６】
【図１】商用の波長分割マルチプレクサーにて組成された４ノード量子ネットワークルーターの内部構造を示した図である。
【図２】商用の波長分割マルチプレクサーにて組成された３ノード量子ネットワークルーターの内部構造を示した図である。
【図３】個別の素子から直接組成された４ノード量子ネットワークルーターの内部構造を示した図である。
【図４】集積された４ノード量子ネットワークルーターの内部構造を示した図である。
【図５】３ノード量子ネットワークルーターのＩＰアドレス表である。
【図６】４ノード量子ネットワークルーターのＩＰアドレス表である。
【図１】
2007525868.tif 000003
【図２】
2007525868.tif 000004
【図３】
2007525868.tif 000005
【図４】
2007525868.tif 000006
【図５】
2007525868.tif 000007
【図６】
2007525868.tif 000008
【国際調査報告】
2007525868.tif 000009
2007525868.tif 000010
2007525868.tif 000011
2007525868.tif 000012